(57)【特許請求の範囲】
【請求項１】
交流を直流に変換するコンバータ（１１）と、
直流リンク（１５）と、
前記直流リンクを介して前記コンバータと接続され、直流を交流に変換し、当該交流を負荷（４）に出力するインバータ（１４）と、
前記負荷から漏洩する漏洩電流（Ｉａ）に対応する検出電流（Ｉｂ）を出力する漏洩電流検出器（２１）と、
前記検出電流に応答して前記漏洩電流を補償する補償電流（Ｉｃ）を出力する補償電流出力端（２２３）を有し、前記補償電流出力端が前記負荷の漏洩電流が漏洩する箇所（４１）に接続される補償電流出力部（２２）と、
前記検出電流の前記補償電流出力部への入力の可否を設定するスイッチ（８）
を備える電力変換回路。
【請求項２】
交流を直流に変換するコンバータ（１１）と、
直流リンク（１５）と、
前記直流リンクを介して前記コンバータと接続され、直流を交流に変換し、当該交流を負荷（４）に出力するインバータ（１４）と、
前記負荷から漏洩する漏洩電流（Ｉａ）に対応する検出電流（Ｉｂ）を出力する漏洩電流検出器（２１）と、
前記検出電流に応答して前記漏洩電流を補償する補償電流（Ｉｃ）を出力する補償電流出力端（２２３）を有し、前記補償電流出力端が前記負荷の漏洩電流が漏洩する箇所（４１）に接続される補償電流出力部（２２）と、
前記検出電流の前記補償電流出力部への入力の可否を設定するスイッチ（８）と、
前記検出電流（Ｉｂ）に比例したモニタ電流（Ｉｅ）に基づいて前記スイッチ（８）の開閉を制御する制御部（７）と
を備え、
前記漏洩電流検出器（２１）は、前記コンバータ（１１）に流れる一対の電流同士の差分から前記検出電流（Ｉｂ）を流す第１コイルと、前記第１コイルと誘導結合して前記モニタ電流が流れる第２コイルとを有し、
前記モニタ電流あるいは前記第２コイルの両端電圧の瞬時値の大きさ、平均値の大きさ、ピーク値の大きさの少なくともいずれか一つが所定の閾値よりも大きいときのみ前記スイッチが導通する、電力変換回路。
【請求項３】
交流を直流に変換するコンバータ（１１）と、
直流リンク（１５）と、
前記直流リンクを介して前記コンバータと接続され、直流を交流に変換し、当該交流を負荷（４）に出力するインバータ（１４）と、
前記負荷から漏洩する漏洩電流（Ｉａ）に対応する検出電流（Ｉｂ）を出力する漏洩電流検出器（２１）と、
前記検出電流に応答して前記漏洩電流を補償する補償電流（Ｉｃ）を出力する補償電流出力端（２２３）を有し、前記補償電流出力端が前記負荷の漏洩電流が漏洩する箇所（４１）に接続される補償電流出力部（２２）と、
前記検出電流の前記補償電流出力部への入力の可否を設定するスイッチ（８）と、
前記コンバータ（１１）に入力する交流電圧（Ｖｓ）の振幅に基づいて前記スイッチ（８）の開閉を制御する制御部（７）と
を備え、
前記交流電圧の絶対値が所定の閾値よりも大きいときのみ前記スイッチが導通する、電力変換回路。
【請求項４】
前記直流リンク（１５）は平滑コンデンサ（１３）を含む、請求項１乃至請求項３のいずれか一つに記載の電力変換回路。
【請求項５】
前記直流リンク（１５）は昇圧チョッパ回路（１２）を含む、請求項１乃至請求項４のいずれか一つに記載の電力変換回路。
【請求項６】
前記直流リンク（１５）は昇圧チョッパ回路（１２）を含み、前記昇圧チョッパ回路（１２）の駆動／停止に対応して、前記スイッチ（８）がそれぞれ導通／非導通する、請求項５記載の電力変換回路。
【請求項７】
前記補償電流出力部（２２）は、その一対の入力端（２２４、２２５）の間に直列接続される第１のトランジスタ（２２１）と第２のトランジスタ（２２２）とを備え、
前記第１のトランジスタと前記第２のトランジスタとは相互に導電型が異なり、
前記第１のトランジスタの制御電極と前記第２のトランジスタの制御電極とは共通に接続され、
前記第１のトランジスタと前記第２のトランジスタとが接続される接続点が前記補償電流出力端（２２３）に接続され、
前記接続点と、前記第１のトランジスタの制御電極と前記第２のトランジスタの制御電極との間に前記検出電流が流れる、請求項１乃至請求項６のいずれか一つに記載の電力変換回路。
【発明の詳細な説明】
【技術分野】
【０００１】
この発明は負荷からの漏洩電流を低減する技術に関する。
【背景技術】
【０００２】
従来より、負荷からの漏洩電流を低減する技術が提案されている。例えば下掲の特許文献１，２は、平滑コンデンサの両端に接続された補償電流供給回路が、負荷からの漏洩電流を補償する電流を出力する技術を開示している。
【０００３】
また特許文献３は平滑コンデンサを設けない構造において、全波整流回路たるダイオードブリッジとインバータ装置とを結ぶ正側入力ラインと負側入力ラインとの間にノイズ低減回路が設けられている。当該ノイズ低減回路は、二つのトランジスタを有しており、これらは互いに逆にオン・オフ動作する。
【先行技術文献】
【特許文献】
【０００４】
【特許文献１】特許第３０４４６５０号公報
【特許文献２】特開平１１−１２２９１０号公報
【特許文献３】特開２０００−９２８６１号公報
【発明の概要】
【発明が解決しようとする課題】
【０００５】
特許文献１、２に記載の技術では、平滑後の直流電圧に基づいて補償電流供給回路が動作する。特許文献３に記載の技術では、平滑コンデンサが採用されていないが、ノイズ低減回路において、漏洩電流を検出した電圧を増幅器で増幅して二つのトランジスタを駆動し、これらをオン・オフ動作させている。
【０００６】
よっていずれの特許文献に記載の技術でも、全波整流回路に入力する交流の波形に依存せずに補償電流を出力する。
【０００７】
図５は平滑コンデンサが採用されない場合に全波整流回路に入力する交流電圧Ｖｓ及び交流電流Ｉｓと、漏洩電流Ｉａとの関係を模式的に示すグラフである。漏洩電流Ｉａは、入力電流Ｉｓが大きいほど増大する。平滑コンデンサが採用されても、その両端電圧が脈動していれば同様の傾向がある。
【０００８】
よって漏洩電流Ｉａが小さく、これを低減する必要が無い場合にも、特許文献１〜３では漏洩電流を補償する回路が動作することになる。これは消費電力を省力化する観点で望ましくない。
【０００９】
本発明はかかる課題を解決するためになされたもので、漏洩電流が顕著ではない区間以外で補償電流を出力することで、補償電流を流すことによる損失を低減することを目的とする。
【課題を解決するための手段】
【００１０】
この発明にかかる電力変換回路の第１の態様は、交流を直流に変換するコンバータ（１１）と、直流リンク（１５）と、前記直流リンクを介して前記コンバータと接続され、直流を交流に変換し、当該交流を負荷（４）に出力するインバータ（１４）と、前記負荷から漏洩する漏洩電流（Ｉａ）に対応する検出電流（Ｉｂ）を出力する漏洩電流検出器（２１）と、前記検出電流に応答して前記漏洩電流を補償する補償電流（Ｉｃ）を出力する補償電流出力端（２２３）とを有し、前記補償電流出力端が前記負荷の漏洩電流が漏洩する箇所（４１）に接続される補償電流出力部（２２）と、前記検出電流の前記補償電流出力部への入力の可否を設定するスイッチ（８）を備える。
【００１１】
この発明にかかる電力変換回路の第２の態様は、交流を直流に変換するコンバータ（１１）と、直流リンク（１５）と、前記直流リンクを介して前記コンバータと接続され、直流を交流に変換し、当該交流を負荷（４）に出力するインバータ（１４）と、前記負荷から漏洩する漏洩電流（Ｉａ）に対応する検出電流（Ｉｂ）を出力する漏洩電流検出器（２１）と、前記検出電流に応答して前記漏洩電流を補償する補償電流（Ｉｃ）を出力する補償電流出力端（２２３）を有し、前記補償電流出力端が前記負荷の漏洩電流が漏洩する箇所（４１）に接続される補償電流出力部（２２）と、前記検出電流の前記補償電流出力部への入力の可否を設定するスイッチ（８）と、前記検出電流（Ｉｂ）に比例したモニタ電流（Ｉｅ）に基づいて前記スイッチ（８）の開閉を制御する制御部（７）とを備える。そして前記漏洩電流検出器（２１）は、前記コンバータ（１１）に流れる一対の電流同士の差分から前記検出電流（Ｉｂ）を流す第１コイルと、前記第１コイルと誘導結合して前記モニタ電流が流れる第２コイルとを有する。そして前記モニタ電流あるいは前記第２コイルの両端電圧の瞬時値の大きさ、平均値の大きさ、ピーク値の大きさの少なくともいずれか一つが所定の閾値よりも大きいときのみ前記スイッチが導通する。
【００１２】
この発明にかかる電力変換回路の第３の態様は、交流を直流に変換するコンバータ（１１）と、直流リンク（１５）と、前記直流リンクを介して前記コンバータと接続され、直流を交流に変換し、当該交流を負荷（４）に出力するインバータ（１４）と、前記負荷から漏洩する漏洩電流（Ｉａ）に対応する検出電流（Ｉｂ）を出力する漏洩電流検出器（２１）と、前記検出電流に応答して前記漏洩電流を補償する補償電流（Ｉｃ）を出力する補償電流出力端（２２３）を有し、前記補償電流出力端が前記負荷の漏洩電流が漏洩する箇所（４１）に接続される補償電流出力部（２２）と、前記検出電流の前記補償電流出力部への入力の可否を設定するスイッチ（８）と、前記コンバータ（１１）に入力する交流電圧（Ｖｓ）の振幅に基づいて前記スイッチ（８）の開閉を制御する制御部（７）とを備える。そして前記交流電圧の絶対値が所定の閾値よりも大きいときのみ前記スイッチが導通する。
【００１３】
この発明にかかる電力変換回路の第４の態様は、その第１の態様乃至第３の態様のいずれかであって、前記直流リンク（１５）は平滑コンデンサ（１３）を含む。
【００１４】
この発明にかかる電力変換回路の第５の態様は、その第１乃至第４の態様のいずれかであって、前記直流リンク（１５）は昇圧チョッパ回路（１２）を含む。
【００１５】
この発明にかかる電力変換回路の第６の態様は、その第５の態様であって、前記昇圧チョッパ回路（１２）の駆動／停止に対応して、前記スイッチ（８）がそれぞれ導通／非導通する。
【００１６】
この発明にかかる電力変換回路の第７の態様は、その第１の態様乃至第６の態様のいずれかであって、前記補償電流出力部（２２）は、その一対の入力端（２２４、２２５）の間に直列接続される第１のトランジスタ（２２１）と第２のトランジスタ（２２２）とを備える。そして前記第１のトランジスタと前記第２のトランジスタとは相互に導電型が異なり、前記第１のトランジスタの制御電極と前記第２のトランジスタの制御電極とは共通に接続され、前記第１のトランジスタと前記第２のトランジスタとが接続される接続点が前記補償電流出力端（２２３）に接続され、前記接続点と、前記第１のトランジスタの制御電極と前記第２のトランジスタの制御電極との間に前記検出電流が流れる。
【発明の効果】
【００１７】
この発明にかかる電力変換回路の第１の態様によれば、スイッチによって、漏洩電流が顕著な区間のみで補償電流を出力することができるので、補償電流を流すことによる損失を低減できる。
【００１８】
この発明にかかる電力変換回路の第２の態様又は第３の態様によれば、モニタ電流による検出電流の減少を低減できる。
【００１９】
この発明にかかる電力変換回路の第４の態様によれば、インバータに入力する直流電圧を平滑するので、インバータの制御が容易となる。
【００２０】
この発明にかかる電力変換回路の第５の態様及び第６の態様によれば、コンバータが出力する直流電圧を昇圧するので、電力変換回路の力率を改善することができる。
【００２１】
特に第６の態様によれば、昇圧チョッパ回路の停止時における消費電力を低減できる。
【００２２】
この発明にかかる電力変換回路の第７の態様によれば、漏洩電流に対応する補償電流を、接続点から漏洩箇所へと流すことができる。
【図面の簡単な説明】
【００２３】
【図１】この発明の実施の形態に係る電力変換回路の構成を、その周辺部と共に示す回路図である。
【図２】この発明の実施の形態に係る電力変換回路の他の構成を、その周辺部と共に示す回路図である。
【図３】この発明の実施の形態に係る電力変換回路の更に他の構成を、その周辺部と共に示す回路図である。
【図４】この発明に係る電力変換回路の実施の形態の変形を示す回路図である。
【図５】漏洩電流とコンバータに入力する交流電圧、交流電流の波形との関係を示すグラフである。
【図６】漏洩電流とコンバータに入力する交流電圧、交流電流の波形との他の関係を示すグラフである。
【発明を実施するための形態】
【００２４】
図１はこの発明の実施の形態に係る電力変換回路の構成を、その周辺部と共に示す回路図である。当該電力変換回路は、コンバータ１１と、直流リンク１５と、インバータ１４と、漏洩電流低減装置２とを備えている。
【００２５】
コンバータ１１は交流電源３から入力する交流を直流に変換する。インバータ１４は直流を交流に変換し、当該交流を負荷４に出力する。インバータ１４は、直流リンク１５を介してコンバータ１１と接続される。コンバータ１１には交流電圧Ｖｓ及び交流電流Ｉｓが入力する。
【００２６】
直流リンク１５は正極側の直流電源線１５ａと、負極側の直流電源線１５ｂとを含む。
【００２７】
図１ではコンバータ１１としてダイオードブリッジが例示されているが、それ以外に、例えばパルス幅変調を採用したアクティブコンバータであってもよい。
【００２８】
負荷４は例えば空気調和機の冷媒を圧縮する圧縮機に採用されるモータである。当該モータは圧縮機中の圧縮要素と共に冷媒や潤滑油に晒される。よって当該圧縮機の外郭との間に浮遊容量を有している。特に潤滑油が冷媒に溶け込んだ、いわゆる「寝込み」の状態にあるときに冷媒の誘電率が上昇し、当該浮遊容量は増大して漏洩電流の発生が顕著となる。
【００２９】
漏洩電流低減装置２は負荷４から漏洩する漏洩電流Ｉａを補償する補償電流Ｉｃを出力する。漏洩電流低減装置２は、漏洩電流検出器２１と、補償電流出力部２２と、スイッチ８とを備える。
【００３０】
漏洩電流検出器２１は、コンバータ１１に入力される一対の電流同士の差分から漏洩電流Ｉａに対応する検出電流Ｉｂを出力する。具体的には漏洩電流検出器２１は例えば、交流電源３とコンバータ１１との間に設けられるコモンモードチョーク及びこれに誘導結合したコイルを有している。よって当該コイルに検出電流Ｉｂが流れる。このような構成自体は例えば上述の特許文献１〜３によって周知であるので、詳細は説明しない。
【００３１】
補償電流出力部２２は、一対の入力端２２４、２２５と、補償電流出力端２２３とを有する。補償電流出力部２２は入力端２２４、２２５を介して直流リンク１５に対して並列に接続される。補償電流出力端２２３は補償電流Ｉｃを出力する。補償電流Ｉｃは、検出電流Ｉｂに応答して漏洩電流Ｉａを補償する。補償電流出力端２２３は負荷４の漏洩電流が漏洩する箇所４１に接続される。箇所４１は例えば接地Ｇへと接地される。あるいは接地Ｇと箇所４１との間には寄生インピーダンスが存在する。図１及びそれ以降の図面では、当該寄生インピーダンスが存在する可能性を、箇所４１と接地Ｇとの間の破線で示している。
【００３２】
具体的には補償電流出力部２２は例えば、その一対の入力端２２４、２２５の間に直列接続されるトランジスタ２２１，２２２を備える。トランジスタ２２１，２２２は相互に導電型が異なる。具体的にはトランジスタ２２１はＰＮＰ型であり、トランジスタ２２２はＮＰＮ型である。トランジスタ２２１，２２２同士が接続される接続点が補償電流出力端２２３に接続される。後述するスイッチ８が導通するときには、当該接続点と、トランジスタ２２１，２２２のベースとの間に検出電流Ｉｂが流れる。
【００３３】
具体的にはトランジスタ２２１の制御電極たるベースと、トランジスタ２２２の制御電極たるベースとは、例えば抵抗を介して（更に後述するようにスイッチ８を介して）漏洩電流検出器２１に接続される。当該抵抗に検出電流Ｉｂが流れることにより、ベースバイアス電圧がトランジスタ２２１，２２２に引加されることになる。
【００３４】
補償電流出力端２２３から補償電流Ｉｃが箇所４１に流れる。但し、補償電流Ｉｃから直流分をカットするために、補償電流出力端２２３と箇所４１との間に容量性のインピーダンスを持つ素子２２６、例えばコンデンサを設けることが望ましい。
【００３５】
補償電流出力部２２の構成自体も例えば上述の特許文献１〜３によって周知であるので、詳細は説明しない。
【００３６】
スイッチ８は、検出電流Ｉｂが補償電流出力部２２に入力することの可否を設定する。具体的には例えば、トランジスタ２２１，２２２のベースに接続された抵抗と、漏洩電流検出器２１との間にスイッチ８が設けられる。そしてスイッチ８の開閉の制御が制御部７によって制御される。
【００３７】
図１では制御部７は、検出電流Ｉｂが得られるコイルの両端電圧を検出する場合が示されている。しかし、制御部７の入力インピーダンスが小さい場合には、モニタ電流Ｉｅの減少が懸念される。
【００３８】
図４は電力変換回路の変形を制御部７の周辺に限定して示す回路図である。図４に示される変形では、漏洩電流検出器２１は、検出電流Ｉｂが流れる第１コイルと、第１コイルと誘導結合してモニタ電流Ｉｅが流れる第２コイルとを有している。モニタ電流Ｉｅは検出電流Ｉｂに比例するので、制御部７はモニタ電流Ｉｅに基づいてスイッチ８の開閉を制御することができる。この場合、制御部７の入力インピーダンスが小さくても、モニタ電流Ｉｅは減少しにくい。
【００３９】
制御部７は例えば上記コイルの両端電圧、あるいはモニタ電流Ｉｅについて、下記の判断を行ってスイッチ８の開閉を制御する。
【００４０】
(i)瞬時値の大きさが所定の閾値よりも大きいときのみスイッチ８を導通；
(ii)平均値の大きさが所定の閾値よりも大きいときのみスイッチ８を導通；
(iii)ピーク値（ＡＭ検波）の大きさが所定の閾値よりも大きいときのみスイッチ８を導通。
【００４１】
これにより、補償電流出力部２２は漏洩電流Ｉａが顕著でない区間以外で補償電流Ｉｃを流すことになる。
【００４２】
あるいは更に、制御部７は交流電圧Ｖｓの絶対値が所定の閾値よりも大きいときのみスイッチ８を導通させても、漏洩電流Ｉａが顕著でない区間以外で補償電流Ｉｃを流すことになる。図５で示されるように、交流電圧Ｖｓの絶対値が小さいほど、漏洩電流Ｉａは小さいからである。
【００４３】
この場合、制御部７には交流電圧Ｖｓが入力される。あるいはコンバータ１１が全波整流を行う場合、例えばダイオードブリッジで構成される場合、制御部７には直流リンク１５における電圧が入力される。このような構成を採用しても、モニタ電流Ｉｅは減少しにくい。
【００４４】
制御部７は、例えばマイクロコンピュータと記憶装置を含んで構成される。マイクロコンピュータは、プログラムに記述された各処理ステップ（換言すれば手順）を実行する。上記記憶装置は、例えばＲＯＭ(Read Only Memory)、ＲＡＭ(Random Access Memory)、書き換え可能な不揮発性メモリ（ＥＰＲＯＭ(Erasable Programmable ROM)等）、ハードディスク装置などの各種記憶装置の１つ又は複数で構成可能である。当該記憶装置は、各種の情報やデータ等を格納し、またマイクロコンピュータが実行するプログラムを格納し、また、プログラムを実行するための作業領域を提供する。なお、マイクロコンピュータは、プログラムに記述された各処理ステップに対応する各種手段として機能するとも把握でき、あるいは、各処理ステップに対応する各種機能を実現するとも把握できる。また、制御部７はこれに限らず、制御部７によって実行される各種手順、あるいは実現される各種手段又は各種機能の一部又は全部をハードウェアで実現しても構わない。
【００４５】
またスイッチ８には例えばリレー接点、ハンド内スイッチを採用することができる。
【００４６】
図２は電力変換回路の他の構成を、その周辺部と共に示す回路図である。当該構成は図１で示された構成において、直流リンク１５が更に平滑コンデンサ１３を含む点で相違する。具体的には、平滑コンデンサ１３は直流電源線１５ａ，１５ｂの間に接続される。通常は電解コンデンサのように大きな静電容量を有するコンデンサが採用されるが、インバータ１４の制御を適切に行うことにより、フィルムコンデンサのように小さな静電容量を有するコンデンサが採用されてもよい。後者の場合、必ずしも平滑機能は要求されず、直流リンク１５において大きな脈動が発生する。
【００４７】
かかる大きな脈動が発生する場合には、モニタ電流Ｉｅに代替して制御部７に入力するものとして直流リンク１５における電圧が入力されてもよい。当該脈動は交流電圧Ｖｓの変動を反映するので、交流電圧Ｖｓの絶対値が小さい領域で補償電流Ｉｃが出力されるようにスイッチ８を開閉して、検出電流Ｉｂが補償電流出力部２２に与えられるからである。他方、平滑コンデンサ１３の容量が大きく、直流リンク１５における電圧の脈動が小さい場合には、これをモニタ電流Ｉｅに代替して制御部７に入力することは望ましくない。
【００４８】
もちろん、検出電流Ｉｂが流れるコイルの両端電圧や、モニタ電流Ｉｅ、あるいは交流電圧Ｖｓに基づいて、制御部７がスイッチ８を開閉することにより、漏洩電流Ｉａが顕著でない区間以外で補償電流Ｉｃを流すことができる。
【００４９】
図３は電力変換回路の他の構成を、その周辺部と共に示す回路図である。当該構成は図１で示された構成において、直流リンク１５が更に昇圧チョッパ回路１２を含む点で相違する。但し図３では平滑コンデンサ１３が更に含まれており、平滑コンデンサ１３が昇圧チョッパ回路１２の出力側に接続される場合が例示されている。
【００５０】
昇圧チョッパ回路１２は、リアクタ１２１と、ダイオード１２２と、スイッチング素子１２３とを有する。リアクタ１２１は、直流電源線１５ａに接続される。ダイオード１２２のアノードは、リアクタ１２１を介して、直流電源線１５ａに接続される。そのカソードと、直流電源線１５ｂとの間に、平滑コンデンサ１３が接続される。
【００５１】
スイッチング素子１２３は例えば絶縁ゲート型バイポーラトランジスタが採用され、ダイオード１２２のアノードと直流電源線１５ｂとの間に接続される。
【００５２】
このような構成を採用することにより、昇圧チョッパ回路１２はコンバータ１１から出力される直流電圧を昇圧するので、電力変換回路の力率を改善する力率改善回路として機能する。その動作の詳細は、周知の技術であるので、ここではその詳細な説明は割愛する。
【００５３】
また昇圧チョッパ回路１２にはいわゆるインターリーブ方式で動作する構成が採用されてもよい。
【００５４】
なお、電力変換回路において力率改善回路は常時稼働しているわけではない。例えば空気調和機に採用される上述の電力変換回路では、スイッチング素子１２３がオフし続ける場合（以下「力率改善回路のオフ状態」とも称する）と、スイッチング素子１２３があるデューティを以てスイッチングする場合（以下「力率改善回路のオン状態」とも称する）、とがある。
【００５５】
特にコンバータ１１がダイオードブリッジで構成される場合、力率改善回路のオン状態ではダイオードブリッジの導通角が広い。よって図５に示される場合と同様にして、交流電流Ｉｓの波形はなだらかであって、漏洩電流Ｉａが大きな値を有する位相角も広い。よってこのような場合、上述のようにして補償電流Ｉｃが流れるタイミングを抑制することが望ましい。
【００５６】
しかし、力率改善回路のオフ状態ではダイオードブリッジの導通角が狭い。図６はこのような場合における漏洩電流Ｉａとコンバータ１１に入力する交流電圧Ｖｓ、交流電流Ｉｓの波形との関係を示すグラフである。交流電流Ｉｓの波形は急峻であって、漏洩電流Ｉａが大きな値を有する範囲は狭い。よって力率改善回路のオフ状態では、補償電流Ｉｃを流さなくても、漏洩電流Ｉａの外部に対する悪影響は小さい。
【００５７】
よって、モニタ電流Ｉｅや交流電圧Ｖｓや、直流リンク１５における電圧に拘わらず、力率改善回路のオフ状態ではスイッチ８を非導通にすることで、消費電力が低減できる。つまり、昇圧チョッパ回路１２の駆動／停止に対応して、スイッチ８がそれぞれ導通／非導通することが望ましい。このようなスイッチ８の制御は、制御部７が、昇圧チョッパ回路１２を制御する他の制御部（不図示）と連携して行うことで実現される。かかる連携は公知の技術を用いて容易に実現されるので、ここでは詳細を割愛する。
【００５８】
もちろん、昇圧チョッパ回路１２が駆動してスイッチ８が導通する場合であっても、制御部７制御により、検出電流Ｉｂが流れるコイルの両端電圧や、モニタ電流Ｉｅ等に基づいてスイッチ８を非導通とすることが望ましい。
【符号の説明】
【００５９】
１１  コンバータ
１２  昇圧チョッパ回路
１２１  リアクタ
１２２  （昇圧チョッパ回路の）ダイオード
１２３  スイッチング素子
１３  平滑コンデンサ
１４  インバータ
１５  直流リンク
２  漏洩電流低減装置
２１  漏洩電流検出器
２２  補償電流出力部
２２１，２２２  トランジスタ
２２３  補償電流出力端
２２４、２２５  （補償電流出力部）の入力端
４  負荷
４１  （漏洩電流が漏洩する）箇所
Ｉａ  漏洩電流
Ｉｂ  検出電流
Ｉｃ  補償電流
【図１】
0005316656.tif 000002
【図２】
0005316656.tif 000003
【図３】
0005316656.tif 000004
【図４】
0005316656.tif 000005
【図５】
0005316656.tif 000006
【図６】
0005316656.tif 000007